(57)【要約】      （修正有）【課題】比較的大きな体積を有する空気入りクッションであっても、容易にかつ短時間で膨らまして、十分に張らせることが出来る空気入りクッションを提供する。【解決手段】細長い筒を折り返し部１２で２つに折って左袋１０と右袋１１とを作り、両者が接触する部位をその長手方向に気密に縫って縫着部１５を形成し、折り返し部とは反対側の口を空気取り込み口１４とし、この空気取り込み口の一側にリング２０を紐２により、他側にカラビナ２２を紐２１によって取り付ける。【選択図】図２
0003204982.tif 000002
【実用新案登録請求の範囲】
【請求項１】
袋の大きく開けた口から空気を取り込んで袋を膨らませ、口を平に潰して口とは反対の方向に棒状に巻いて、袋を空気で張らせるようにするクッションであって、前記口の両側にまたは前記口に近い前記袋の両側に、前記棒状に巻いて出来た巻き部を曲げて巻き部の両端部を近接させて接続し得るような接続手段を有する、空気入りクッション。
【請求項２】
前記接続手段が紐であり、前記紐同士を結んで前記巻き部の両端部を接続するようにした、請求項１に記載の空気入りクッション。
【請求項３】
前記接続手段が一側に設けた輪と他側に設けたカラビナであり、前記カラビナを前記輪に掛けるようにして前記巻き部の両端部を接続するようにした、請求項１に記載の空気入りクッション。
【請求項４】
前記接続手段が差し込みバックルであり、前記バックルを結合して前記巻き部の両端部を接続するようにした、請求項１に記載の空気入りクッション。
【請求項５】
前記袋が、互いに通気する複数の分割された小袋から成るものである、請求項１乃至請求項４の何れか一に記載の空気入りクッション。
【請求項６】
前記袋の両側にテンションコードなどの紐類を通すための孔部が設けられている、請求項１乃至請求項４の何れか一に記載の空気入りクッション。
【請求項７】
前記袋にペグが取り付けられている、請求項１乃至請求項４の何れか一に記載の空気入りクッション。
【考案の詳細な説明】
【技術分野】
【０００１】  この考案は、袋に空気を吹き込んで膨張させるのではなく、空気を取り込んだ後に袋を狭めて内圧を高めるようにして袋を張らせるようにした、空気入りクッションに関する。なおクッションにはマットレスやチェアーなども含まれる。従来よりビニール製の空気を吹き込んで脹らませる人形やボールや浮輪やボートなどに、空気入り玩具の呼称があるため、この考案でも空気入りクッションと言うことにする。
【背景技術】
【０００２】  従来の空気入りクッションは、空気の吹き込み口とその栓とを備え、呼気によりまたは手動式や電動モータ駆動式の空気入れによって脹らませて、栓をするように構成されていた。例えば特開平１０−１４６２３８の携帯用エアーどこでもチェアーは、４個並設したチューブの各々に空気吹き込み口とその止め具とを備えている。また特開平０６−２１７８５０のストローの不要な膨らまし玩具、クッションは、唇を密着させて空気を吹き込むための２枚の舌状片を備えている。なお特開２００７−１１７６４７の敷設具には、クッション材を内蔵するカバー材に小さな通気調節筒なるものが備えられている。
【先行技術文献】
【特許文献】
【０００３】
【特許文献１】特開平１０−１４６２３８号公報
【特許文献２】特開平０６−２１７８５０号公報
【特許文献３】特開２００７−１１７６４７号公報
【考案の概要】
【考案が解決しようとする課題】
【０００４】  ところが空気入りクッションのような比較的大きな体積のものに、上述したような小さな空気の吹き込み口から空気を充填しようとすると、ユーザーが呼気を入れて膨らませるには時間が掛かり過ぎると言う問題がある。また呼気が続かなかったり、疲労が大きいなどの問題もある。なお呼気を用いないのであれば電動モータ駆動式の空気入れを用意しなければならない。【０００５】  そこで当考案者は、比較的大きな体積を有する空気入りクッションであっても、容易に短時間で膨らますことが出来るような、これまでにはない空気入りクッションを提供したいものと考えた。
【課題を解決するための手段】
【０００６】  上記課題の解決に先立ち当考案者は、過去の文献に当たって鋭意研究を行った。この中に特開２０１４−１４４２４０の空気の出し入れが容易なエアーマットの発明を見出すことが出来、これを応用したいものと考えた。このエアーマットは、大きく開けた開口から空気室内に片手を挿入し、空気室の容積を拡張すべく空気室の内側から整形して空気圧を負圧にし、外気を吸入させて空気を入れるようにする。このように空気室を負圧にすることによって正圧の外気を吸入してエアーマットが膨らむので、片手を挿入できる大きさの開口から大量の空気入れが可能で、大型のエアーマットでも短時間に空気入れ出来るのである。このエアーマットは人体が接する平坦面を有するため、ここに体重を掛けるようにすると、エアーマットは人体の重みで加圧されて張るものと思われる。【０００７】  しかしながらこのものには、体重を掛けて使用する以前の、外気を取り入れた段階で、空気室を張らせるようにすることが出来ないと言う大きな問題が残されているのである。従ってこの考案では、このような課題をも解決する必要に迫られている。【０００８】  上記課題は、袋の大きく開けた口から空気を取り込んで袋を膨らませ、口を平に潰してこの口とは反対の方向に棒状に巻いて、袋を空気で張らせるようにするクッションであって、前記口の両側にまたは前記口に近い前記袋の両側に、前記棒状に巻いて出来た巻き部を曲げて巻き部の両端部を近接させて接続し得るような接続手段を有する、空気入りクッションとすることによって達成される。この考案によれば、両手で支えて大きく開けた袋の口から、恰も虫取り網を用いるかのように操作して空気を取り込んで袋を膨らませるようにする。【０００９】  このようにして袋内に空気を取り込んだとしても、このままでは袋を所要の弾力を有するまでに張らせることは出来ない。そこで袋の口を平に潰して、この口とは反対の方向に棒状に巻くことで、空気を逃がすことなく、且つ袋の体積を実質的に狭ませて袋を張らせることが出来るようになるのである。すなわち袋に空気を吹き込んで膨張させるのではなく、特開２０１４−１４４２４０のように体重を掛けて加圧して張るのでもなく、空気を取り込んだ後に袋を狭めて内圧を高めるようにして袋を張らせる点に、この考案の特徴がある。【００１０】  しかしながらこのままでは未だ、棒状に巻いて出来た巻き部が解けてしまえば、袋の内圧が弱まったり、空気が抜けて萎んでしまうことになる。そこでこの考案では、棒状に巻いて出来た巻き部を曲げて巻き部の両端部を近接させ、袋の両側に有する接続手段を以て巻き部の両端部を接続することにより、巻き部の両端部が近接した状態を保つようにしたのである。これで巻き部が不本意に解けてしまうようなことが起こらなくなり、次に接続手段を以て巻き部の両端部を分離するまでは、クッションはその張りを保つことが可能になるのである。なお袋はその口の側から、口とは反対の方向に棒状に巻かれるから、接続手段は口の両側に有っても、或いは口に近い袋の両側に有っても、巻き部の辺りに位置することになる。なお接続手段が袋の片側にのみ設けられた構成とすることも可能であり、例えば接続手段を１本の紐とした場合では、巻き部��この１本の紐でぐるぐる巻きにして結ぶようにすれば良い。【００１１】  さてその接続手段が紐であり、前記紐同士を結んで前記巻き部の両端部を接続するようにしたものとすることが出来る。結び目は堅結びよりは花結びの方が解き易さの点で好ましいが、その何れにせよ巻き部の両端部が近接した状態を保つには十分な構成である。なお紐を袋の片側にのみ設けた場合に付いては上述した通りである。【００１２】  或いは前記接続手段が一側に設けた輪と他側に設けたカラビナであり、前記カラビナを前記輪に掛けるようにして前記巻き部の両端部を接続するようにしたものとすることが出来る。カラビナは金属製や合成樹脂製の誰にでも扱い得るポピュラーな道具であり、掛けたり外したりが容易であり、特に金属製のものは引っ張りや捻りに強く構造が強固であるから、巻き部の両端部を近接した状態に保って巻き部を解けなくするのにはとても便利で好適である。【００１３】  或いは前記接続手段が差し込みバックルであり、前記差し込みバックルを結合して前記巻き部の両端部を接続するようにしたものとすることが出来る。差し込みバックルは接続具として一般的なものであって、その使用法は周知されており、その着脱操作も容易である。巻き部の両端部の差し込みバックルを結合してしまえば、巻き部が解けなくなる。【００１４】  次に、前記袋が、互いに通気する複数の分割された小袋から成るものとすることが出来る。小袋を２個或いはそれ以上並べて繋げることで面積の広いクッションを構成することが出来る。なお小袋同士は通気するように構成したが、これはクッションに体重を掛けた時に袋によって圧力がまちまちとなることを抑えたいためであるが、問題がなければ小袋同士が通気しないように構成する場合もあり得る。【００１５】  次に、前記袋の両側にテンションコードなどの紐類を通すための孔部が設けられているものとすることが出来る。開孔部のあるフラップ或いはグロメットなどを設けるようにすると良い。この孔部を以てホルダーを引っ掛けたり、複数のクッションを繋げたりすることが可能になる。【００１６】  次に、前記袋にペグが取り付けられているものとすることが出来る。このペグを地面に刺すようにすれば、急な突風が吹いてもクッションが飛ばされるようなことが起こり難くなる。
【考案の効果】
【００１７】  この考案によれば、大きく開けた口から空気を取り込むようにしたので、比較的大きな体積を有する空気入りクッションであっても、容易に短時間で膨らますことが出来るようになった。また棒状に巻いて出来た巻き部を曲げて巻き部の両端部を近接させ、袋の両側に有する接続手段を以て巻き部の両端部を接続し得るように構成したので、この接続手段によって棒状に巻いて出来た巻き部が不本意に解けてしまうようなことが阻止され、次に接続手段を以て巻き部の両端部を分離するまではクッションはその張りを保つことが出来るようになった。
【図面の簡単な説明】
【００１８】
【図１】  実施例１の斜面視による説明図である。
【図２】  平面視による説明図である。
【図３】  側面視による使用状態の説明図である。
【図４】  実施例２の平面視による説明図である。
【図５】  実施例３の平面視による説明図である。
【図６】  実施例４の平面視による説明図である。
【考案を実施するための形態】
【実施例１】
【００１９】  図１乃至図３によってこの実施例のクッションを説明する。クッション１は図２で表すように、気密性を有する布製の細長い筒を折り返し部１２で２つ折りにして、左袋１０と右袋１１とが接触する部位をその長手方向に縫い付けて気密な縫着部１５を形成し、左袋１０と右袋１１との上記折り返し部１２とは反対側の口を空気取り込み口１４とし、この空気取り込み口１４の両側の部位に、一側にリング２０を紐２により他側にカラビナ２２を紐２１によって取り付けて成るものである。【００２０】  左袋１０と右袋１１とは収納時は平に折り畳まれているが、図２では構成を分かり易くするために僅かに膨らんだ状態で表している。そこで空気取り込み口１４を両手で持って大きく広げると共に、恰も虫取り網を用いるかのように操作して空中を泳がせ、空気取り込み口１４から空気を取り込んで左袋１０と右袋１１とを大きく膨らませるようにする。続いて図２で表すように空気取り込み口１４を潰して（紐２と紐２１とが袋の両側に位置する）から矢線で示した方向に巻くようにすると巻き部１６が太くなり、左袋１０と右袋１１とは上記折り返し部１２にて通気するため等しく内圧が高まって行き、図３で表すように左袋１０と右袋１１とが十分に張って巻けなくなる状態が来る。この状態に至ったならば今度は巻き部１６を図３では手前の方向に丸く曲げて、紐２のリング２０と紐２１のカラビナ２２とを近接させて、リング２０にカラビナ２２を掛止させると、図１で表したようにクッション１が十分に張った状態を保つのである。この時には左袋１０と右袋１１との間に窪み１３が生ずるため、この窪み１３に身体を預けることが出来る。なおリング２０にカラビナ２２が掛かった状態では、身体がその体重によってクッション１を圧迫したとしても、巻き部１６が不本意に解けてしまうようなことが起こらないため、次にカラビナ２２をリング２０から外して、巻き部１６を解くまでは、クッション１はその張りを保つことになる。このことは図１から良く了解される。なおカラビナ２２とリング２０とは掛けたり外したりすることが容易であると共に、一度掛けたら極めて外れにくいと言う特徴があり、この考案に好適な接続手段であると言うことが出来る。【００２１】  なお上掲例では左袋１０と右袋１１とが接触する部位に縫着部１５を形成しているが、この部位の素材を斟酌して熱溶着により左袋１０と右袋１１とを一体化して成る空気入りクッションも提供可能である。すなわちこの辺りのことは自由に設計して良い。
【実施例２】
【００２２】  図４は、上述した実施例１のクッション１に次のような付属品を設けた点に特徴を有するクッションである。すなわち左袋１０と右袋１１との図４に於ける各々の側面に、掛止孔４０のあるフラップ４を３つずつ設けると共に、上記カラビナ２２にロープ３０を結んでこの先にペグ３を取り付けて成る。【００２３】  フラップ４の掛止孔４０は複数のクッションを繋げたりするのに便利であるし、ペグ３を地面に打ち込んでおけば急な突風などにも対処することが出来る。
【実施例３】
【００２４】  図５によりこの実施例のクッションを説明する。クッション５は各々独立した左袋５０と右袋５１とを並べたものである。左袋５０も右袋５１も図５の左側の端部５２が閉じられており、右側の端部を個別空気取り込み口５４としている。このような左袋５０と右袋５１とが接触する部位をその長手方向に縫い付けて縫着部５５を形成して両者を一体化すると共に、上記左右の個別空気取り込み口５４、５４をまとめて一つにすべく、別の布材から成る円筒形の総合空気取り込み口５６を個別空気取り込み口５４、５４の回りに縫着し、更に上記総合空気取り込み口５６の両側に、一側に差し込みバックルオス６０を紐６により、他側に差し込みバックルメス６２を紐６１によって取り付けて成るものである。差し込みバックルの使用法は周知されており、その着脱操作も簡単である。なお差し込みバックルの代わりにボルトとナットとの組合せのような捻じ込み方式を採用するようにしても良い。なお左袋５０と右袋５１との一体化を縫い付けによるのではなく、熱溶着などの接着によって行うようにすることが出来る。【００２５】  上記総合空気取り込み口５６を設けたことにより、この総合空気取り込み口５６を両手で持って、恰も虫取り網を用いるかのように操作することで、左右の個別空気取り込み口５４、５４に一気に空気を送り込んで、左袋５０と右袋５１とを膨らませることが出来るのである。なお符号５５は、左袋５０と右袋５１とを膨らませた時に生ずる窪みを指している。このようにして左袋５０と右袋５１とを膨らませたら、これまで開けておいた総合空気取り込み口５６を潰して巻くようにすると、図示しない巻き部が太くなって左袋５０と右袋５１とが十分に張って巻けなくなるので、今度は巻き部を丸く曲げて巻き部の両端部の差し込みバックルオス６０を差し込みバックルメス６２に填め込んで結合してしまえば、巻き部が解けなくなる。
【実施例４】
【００２６】  図６によりこの実施例のクッションを説明する。クッション７は一つの大きな袋７０であって、図６の左側の端部７１が閉じられており、右側の端部を空気取り込み口７２としている。この空気取り込み口７２の周囲には紐通し７３が設けられており、ここに通した接続手段である紐としてのロープ８の両端部を、紐通し７３から袋７０の両側に取り出して、結着自在としたものである。【００２７】  この実施例はクッション７が一つの袋７０から成っていることを示している。また図示しない巻き部を丸く曲げて巻き部の両端部を近接させて、ロープ８の両端部同士を結んで巻き部の両端部を接続してしまえば、巻き部の両端部が近接した状態を保つことが出来ることを表している。なお結び目は堅結びよりは花結びの方が解き易さの点で好ましいが、この辺りのことはユーザーの自由に任される。【００２８】  なおこの実施例のクッションは一つの袋７０ではあるが、１箇所或いは所々に中綴じ部を設けたり、線状に縫着部や溶着部を設けたりして、袋７０の表面に起伏を付けることが可能である。上記中綴じに付いて、袋の表裏で着脱自在となる中綴じ部材を設けることによって、上記表面に起伏を付けたり解消したりし得るように構成することが可能である。【００２９】  この他この考案は、棒状に巻いて出来た巻き部が解けないようにする機構として、例えば農業用ハウスのパイプ枠にビニールやＰＯフィルムなどを止めるためのカセットやパッカー（何れも商標である）などと呼ばれている挟着具のような、巻き部に填め込む断面略Ω形状のストッパーを組み合わせることが出来る。すなわちこの考案を、袋の大きく開けた口から空気を取り込んで袋を膨らませ、口を平に潰して口とは反対の方向に棒状に巻いて、袋を空気で張らせるようにするクッションであって、前記口の両側にまたは前記口に近い前記袋の両側に、前記棒状に巻いて出来た巻き部に被せて挟んで止めるための挟着手段を有する、空気入りクッションとするのである。この挟着手段も上述した接続手段も、棒状に巻いて出来た巻き部に対する巻き戻り防止手段の一であると言うことが出来る。
【産業上の利用可能性】
【００３０】  この考案の空気入りクッションの構成は、浮き袋やゴムボートや人形などの幅広い分野に適用することが可能であり、これ等もまたこの考案の権利範囲内である。
【符号の説明】
【００３１】  １  クッション                  １０左袋
１１右袋                        １２折り返し部
１３窪み                        １４空気取り込み口
１５縫着部                      １６巻き部
２  紐                          ２０リング
２１紐                          ２２カラビナ
３  ペグ                        ３０ロープ
４  フラップ                    ４０掛止孔
５  クッション                  ５０左袋
５１右袋                        ５２端部
５３窪み                        ５４個別空気取り込み口
５５縫着部                      ５６総合空気取り込み口
６  紐                          ６０差し込みバックルオス
６１紐                          ６２差し込みバックルメス
７  クッション                  ７０袋
７１端部                        ７２空気取り込み口
７３紐通し                      ８  ロープ
【図１】
0003204982.tif 000003
【図２】
0003204982.tif 000004
【図３】
0003204982.tif 000005
【図４】
0003204982.tif 000006
【図５】
0003204982.tif 000007
【図６】
0003204982.tif 000008